(57)【要約】【課題】圧縮性と画像品質の両立をさらに改善する。【解決手段】絵文字が混載した文書データが、画像処理装置に入力された場合に、第３の圧縮手段１０と、２値化された第１の画像データ４から、その代表値である第３のコード１１への置き換え情報が記載されている第１エッジデータ比較参照テーブル９を有し、第１の画像データ４から前記第１エッジデータ比較参照テーブル９をもとに第３のコード１１を作成し、第１エッジデータ比較参照テーブル９の中に、該当する第１の画像データ４がない場合には、第１の画像データ４から第１の圧縮手段１０を用い第１のコード６を作成する。これにより従来のエッジ画像を全てＭＭＲ圧縮等を行うより、より高圧縮な圧縮処理を実現することができる。【選択図】図１
2006081115.tif 000002
【特許請求の範囲】
【請求項１】
文字部と絵柄部が混在する入力画像に対して、入力画像をエッジ画像、非エッジ画像に分離する分離手段と、
前記エッジ画像から２値のエッジ画像である第１の画像データを作成する２値化処理手段と、
前記第１の画像データを圧縮し、第１のコードを作成する第１の圧縮手段と、
前記非エッジ画像を圧縮し、第２のコードを作成する第２の圧縮手段と、
を有する画像処理装置において、
第１の画像データから、その代表値である第３のコードへの置き換え情報が記載されている第１エッジデータ比較参照テーブルと、
前記第１エッジデータ比較参照テーブルを参照して前記第１の画像データを圧縮して第３のコードを作成するとともに前記第１の圧縮手段に出力する第３の圧縮手段と、
を備え、
前記第１の圧縮手段は、前記第１エッジデータ比較参照テーブルの中に該当する第１の画像データがない場合には、前記第１の画像データから第１のコードを作成することを特徴とする画像処理装置。
【請求項２】
前記第１ないし第３のコードを入力データとし、
前記第１のコードから、第１エッジ画像を形成する第１復号処理手段と、
前記第２のコードから、第２非エッジ画像を形成する第２復号処理手段と、
前記第３のコードから第３のエッジ画像への置き換え情報が記載されている第２エッジデータ比較参照テーブルを有し、前記第３のコードから第３エッジ画像を形成する第３復号処理手段と、
第１エッジ画像および第３エッジ画像から第４エッジ画像を形成する第１画像形成手段と、
前記第４エッジ画像および第２非エッジ画像を形成する第２画像形成手段と、
を備えていることを特徴とする請求項１記載の画像処理装置。
【請求項３】
前記第３複合処理手段は、前記第２エッジデータ比較参照テーブルの中に第３のコードと、ある一定以上の誤差が存在する場合には、さらに第３エッジデータ比較参照テーブルを有する他の画像形成装置の第３エッジデータ比較参照テーブル情報を参照し、前記第３のエッジ画像を形成することを特徴とする請求項２記載の画像処理装置。
【請求項４】
前記第３復号処理手段が、他の画像形成装置が備えている第３エッジデータ比較参照テーブルデータにあり、第２エッジデータ比較参照テーブルデータにない情報を自動で取得し、第２エッジデータ比較参照テーブルデータに加えることを特徴とする請求項３記載の画像処理装置。
【請求項５】
請求項１ないし４のいずれか１項に記載の画像処理装置を備えていることを特徴とする画像形成システム。
【請求項６】
前記システムは、複数の画像形成装置および画像処理装置が通信手段を介して通信可能に接続されていることを特徴とする請求項５記載の画像形成システム。
【発明の詳細な説明】
【技術分野】
【０００１】
本発明を画像圧縮する画像処理装置およびこの画像処理装置と画像形成装置とを備えた画像形成システムに関する。
【背景技術】
【０００２】
図１０は従来から実施されているこの種の画像処理装置の概略構成を示すブロック図である。同図において、文字部と、絵柄部が混在する入力画像１に対して、入力画像をエッジ画像、非エッジ画像に分離する分離手段２と、分離されたエッジ画像から２値のエッジ画像である第１の画像データを作成する２値化処理手段３と、この２値化処理手段３によって２値化された第１の画像データ４を圧縮し、第１のコード６を作成する第１の圧縮手段５と、前記非エッジ画像を圧縮し、第２のコード８を作成する第２の圧縮手段７とを備えていた。
【０００３】
一方、非常に一般的な画像圧縮方式であるＪＰＥＧ画像圧縮方式は、写真画像のような非エッジ画像に対しては、優れた画像品質と画像圧縮性能を発揮することが知られている。しかし、逆に、文字や線といった、エッジ画像に対する圧縮は苦手としており、このような画像を圧縮すると、高い圧縮性能が発揮されない上に、モスキートノイズの発生といった高い画像品質を得ることもできなくなってしまう。このような問題の対策手段として、このＪＰＥＧ画像圧縮が不得意としているエッジ画像の文字や線に対しては、これらの画像を得意とする２値画像圧縮方式であるＭＭＲ画像圧縮等を用いる対策手段が行われている。このように絵文字が混載するような文書画像を、絵柄部（非エッジ部）と文字部（エッジ部）に分離し、それぞれに対して最適な画像圧縮処理を行うことにより、非常に高い圧縮性能でかつ、優れた画像品質で、圧縮することを可能としている。
【発明の開示】
【発明が解決しようとする課題】
【０００４】
前記従来技術では、読み取った画像あるいは入力された画像を絵柄部と文字部に分離し、それぞれの画像領域に対して最適な画像圧縮処理を行うことにより圧縮性と画像品質を両立させようとしていたが、まだ、改善の余地が残されていた。
【０００５】
本発明はこのような点に鑑みてなされたもので、その目的は、圧縮性と画像品質の両立をさらに改善することにある。
【０００６】
また、他の目的は、圧縮された絵文字混載画像を伸張した際に、さらに高品位で、より解読しやすい文字画像を形成することにある。
【課題を解決するための手段】
【０００７】
前記目的を達成するため、第１の手段は、文字部と絵柄部が混在する入力画像に対して、入力画像をエッジ画像、非エッジ画像に分離する分離手段と、前記エッジ画像から２値のエッジ画像である第１の画像データを作成する２値化処理手段と、前記第１の画像データを圧縮し、第１のコードを作成する第１の圧縮手段と、前記非エッジ画像を圧縮し、第２のコードを作成する第２の圧縮手段とを有する画像処理装置において、第１の画像データから、その代表値である第３のコードへの置き換え情報が記載されている第１エッジデータ比較参照テーブルと、前記第１エッジデータ比較参照テーブルを参照して前記第１の画像データを圧縮して第３のコードを作成するとともに前記第１の圧縮手段に出力する第３の圧縮手段とを備え、前記第１の圧縮手段は、前記第１エッジデータ比較参照テーブルの中に該当する第１の画像データがない場合には、前記第１の画像データから第１のコードを作成することを特徴とする。
【０００８】
第２の手段は、第１の手段において、前記第１ないし第３のコードを入力データとし、前記第１のコードから、第１エッジ画像を形成する第１復号処理手段と、前記第２のコードから、第２非エッジ画像を形成する第２復号処理手段と、前記第３のコードから第３のエッジ画像への置き換え情報が記載されている第２エッジデータ比較参照テーブルを有し、前記第３のコードから第３エッジ画像を形成する第３復号処理手段と、第１エッジ画像および第３エッジ画像から第４エッジ画像を形成する第１画像形成手段と、前記第４エッジ画像および第２非エッジ画像を形成する第２画像形成手段とを備えていることを特徴とする。
【０００９】
第３手段は、第２の手段において、前記第３複合処理手段は、前記第２エッジデータ比較参照テーブルの中に第３のコードと、ある一定以上の誤差が存在する場合には、さらに第３エッジデータ比較参照テーブルを有する他の画像形成装置の第３エッジデータ比較参照テーブル情報を参照し、前記第３のエッジ画像を形成することを特徴とする。
【００１０】
第４の手段は、第３の手段において、前記第３復号処理手段が、他の画像形成装置が備えている第３エッジデータ比較参照テーブルデータにあり、第２エッジデータ比較参照テーブルデータにない情報を自動で取得し、第２エッジデータ比較参照テーブルデータに加えることを特徴とする。
【００１１】
第５の手段は、第１ないし第４のいずれかの手段に係る画像処理装置を画像形成システムが備えていることを特徴とする。
【００１２】
第６の手段は、第５の手段において、複数の画像形成装置および画像処理装置が通信手段を介して通信可能に接続され、前記画像形成システムを構成していることを特徴とする。
【００１３】
なお、後述の実施形態において、分離手段はエッジ、非エッジ画像分離手段２、エッジ非エッジ分子装置３に、２値化処理手段は符号３あるいは２値化処理装置３００３に、第１の圧縮手段は符号５あるいはＭＭＲ圧縮器３００８に、第２の圧縮手段は符号７あるいはＪＰＥＧ圧縮器３００９に、第１エッジデータ比較参照テーブルは符号９あるいは３０１０に、第３の圧縮手段は符号１０あるいはエッジデータ置き換え装置３００７に、第１復号処理手段は符号１３あるいはＭＭＲ伸張器８００４に、第２復号処理手段は符号１４あるいはＪＰＥＧ伸張器８００８に、第３復号処理手段は符号１６あるいは第３の復号処理装置８００１に、第２エッジデータ比較参照テーブルは符号１５、８００２または９００５に、第３エッジデータ比較参照テーブルは符号９００８に、第１画像形成手段はＡＮＤ処理部８００６、第１画像形成装置９００４に、第２画像形成手段はＡＮＤ処理部８０１０、第２画像形成装置９００７に、通信手段は符号９００１にそれぞれ対応する。
【発明の効果】
【００１４】
本発明によれば、第１の圧縮手段は第１エッジデータ比較参照テーブルの中に該当する第１の画像データがない場合には、第１の画像データから第１のコードを作成し、そのコードに基づいて画像処理を行うので、圧縮性と画像品質の両立をさらに改善することができる。
【００１５】
また、第１エッジ画像および第３エッジ画像から第４エッジ画像を形成する第１画像形成手段と、第４エッジ画像および第２非エッジ画像を形成する第２画像形成手段とを備えているので、圧縮された絵文字混載画像を伸張した際に、さらに高品位で、より解読しやすい文字画像を形成することができる。
【発明を実施するための最良の形態】
【００１６】
以下、本発明の実施形態について図面を参照して説明する。
【００１７】
＜第１の実施形態＞
図１は本発明の第１の実施形態に係る画像処理装置の概略構成を示すブロック図である。
【００１８】
本実施形態に係る画像処理装置は、図１に示すように図１０に示した従来例に対して２値化処理手段３の後段に第１エッジデータ比較参照テーブル９を参照して第３のコード１１を出力し、また、第１の圧縮手段５に圧縮データを出力する第３の圧縮手段１０と、第２の圧縮手段７に与えられる画像データを第２の画像データ２とした点が異なっている（改善された構成となっている）。
【００１９】
すなわち、図１０に示した構成に対して図１の構成とした第１の実施形態では、エッジデータ比較参照テーブル９を利用したエッジデータの代表値データへの置き換えを行っている。この改善例を、図２を例にとって説明する。例えば、エッジ抽出され、２値化処理されたエッジ画像（前記第１の画像）が２００１のような画像であるものとする。このエッジ画像２００１は、アルファベットの“Ｙ”と記載され、２００２のようなエッジデータ比較参照テーブル９が用意されているとする。従来の画像処理装置では、この２００１を２値圧縮方式であるＭＭＲ圧縮をおこなうのが一般的である。しかし、本実施形態では、このエッジデータ比較参照テーブル９（２００２）に基づいて２値化処理されたエッジ画像の文字データへの置き換えを行う。このテーブル９を参照すると、２値化処理されたエッジ画像（２００１）は、”Ｙ”と記載されていることから、“０ｘ１８”というデータ（前記第３のコード）に置換することが可能である。アルファベットのみで記載されている文書の場合では、エッジデータ比較参照テーブル９（２００２）のように、“Ａ”から“Ｚ”までの２値化されたエッジ画像の置き換えが可能であればよいので、全部で“０”から“０ｘ１９”までを表現可能な、５ｂｉｔのデータサイズがあればよいことになる。つまり、２値化されたエッジ画像（２００１）は、５ｂｉｔのデータサイズに圧縮することが可能であるといえる。従来のように、ＭＭＲ圧縮を行ったとしても、エッジ画像（２００１）を５ｂｉｔのサイズまでに圧縮することは不可能であるといってよい。
【００２０】
本実施形態では、前述のように第３の圧縮手段と、第１の画像データから、その代表値である第３のコードへの置き換え情報が記載されている第１エッジデータ比較参照テーブルを有し、前記第１の画像データから、前記第１エッジデータ比較参照テーブルをもとに、第３のコードを作成し、また、前記第１エッジデータ比較参照テーブルの中に、該当する第１の画像データがない場合には、第１の画像データから第１の圧縮手段を用い第１のコードを作成することを特徴としている。具体的には、図３及び図４に示すように３００１のような絵文字が混載した文書データが、画像処理装置に入力された場合に、エッジ非エッジ分離装置３００２（例えば、ソーベルフィルタ等が挙げられる）により、エッジ画像と、非エッジ画像３００６に分離され、エッジ画像は、その後２値化処理装置３００３により２値化され、２値のエッジ画像３００４が得られる。
【００２１】
このエッジ画像３００４を前記第３の圧縮手段１０にあたるエッジデータ置き換え装置３００５は、第１のエッジデータ比較参照テーブル３０１０を参照して、エッジ画像データの第３のコード３０１１への置き換えを行う。第１のエッジデータ比較参照テーブル３０１０は、２値化されたエッジ画像データ３００４に記載されている“ａｂｃ”という文字に関しては情報をもっていることから、この文字を第１のエッジデータ比較参照テーブル３０１０に基づいて第３のコードに変換すると、“０ｘ０００１０２”と変換することができる。また、２値化されたエッジ画像データ３００４には、第１のエッジデータ比較参照テーブル３０１０には記載されていない“！”が存在しているが、このエッジ画像データはエッジデータ置き換え装置３００７により、第３のコード３０１１とは別に分けられる。この分けられたエッジ画像データ３００５に対して、ＭＭＲ圧縮機３００８により、圧縮され、第１のコード３０１２が作成される。また、画像処理装置の初段の処理に当たる、エッジ非エッジ分離装置により、非エッジであると判定された画像３００６は、ＪＰＥＧ圧縮機３００９により圧縮され、第２のコード３０１３が作成される。以上のような処理フローにより、従来のエッジ画像を全てＭＭＲ圧縮等を行うより、より高圧縮な圧縮処理を実現することができる。
【００２２】
また、第１の実施形態に係る画像処理装置においては、第１のコードをＭＭＲ、第２のコードをＪＰＥＧ、第３のコードをフォント情報とすることができ、これらのコードは、Ａｄｏｂｅ社のＰＤＦのファイルフォーマットの条件を満足することができることから、第１、第２、第３のコードをＰＤＦの１つのファイルとして使用することを可能としている。
【００２３】
＜第２の実施形態＞
図５は本発明の第２の実施形態に係る画像処理装置の概略構成を示すブロック図である。
【００２４】
本実施形態に係る画像処理装置は、圧縮された絵文字混載画像を伸張した際に、さらなる高品位で、人がより解読しやすい文字画像を形成することを可能するもので、例えば、図６を例に挙げて説明すると、図６の６００１はあるエッジ抽出された画像に対して２値化処理されたものであり、図７はそのときのエッジデータ比較参照テーブルの状態を示す図であるが、本来ならば、“Ｙ”という文字が記載されていた。しかし、この２値化処理により一部の画素のデータが欠けており、読みづらいものとなっている。本実施形態では、前記第３の圧縮手段により、この６００１の画像をデータの置き換えをし、再度伸張した場合に、画像処理装置の持っている、前記第２のエッジデータ比較参照テーブル２００２に示されているようなきれいな“Ｙ”という文字に置き換えて伸張するために、６００１のような劣化した文字が、伸張後に読み易い文字として表示することができる。
【００２５】
この第２の実施形態では、図５に示すように第１の実施形態で作成された第１，第２，第３のコードを入力データとし、前記第１のコード６から第１エッジ画像を形成する第１復号処理工程１３と、前記第２のコード８から第２非エッジ画像を形成する第２復号処理工程１４と、前記第３のコード２２から第３のエッジ画像への置き換え情報が記載されている第２エッジデータ比較参照テーブル１５を有し、前記第３のコード１１から、第３エッジ画像１７を形成する第３復号処理工程１６と、第１エッジ画像４と、第３エッジ画像１７から第４エッジ画像１９を形成する第１画像形成手段１８と、第４エッジ画像１９と、第２エッジ画像１２とから非エッジ画像２１を形成する第２画像形成手段２０を有することを特徴とする。
【００２６】
これをさらに具体的に図８を用いて説明する。第１、第２、第３のコードとして図に示す符号３０１２，３０１３，３０１１のようなコードが画像処理装置に入力されるものとする。第３のコード３０１１は、“０ｘ０００１０２”というコードデータが並んでいるために、このコードを第２エッジデータ比較参照テーブル８００１に基づいて第３の復号処理装置８００２で伸張すると、８００３のような復号結果画像を得ることができる。また、第１のコード３０１２をＭＭＲ伸張器８００４で伸張すると、８００５のような復号画像結果を得ることができる。この８００５の画像と、８００３の画像を前記第１画像形成装置にあたるＡＮＤ処理部８００６でＡＮＤ処理を行うと、合成画像として８００７のようなエッジ画像を得ることができる。
【００２７】
また、第２のコードであるＪＰＥＧ圧縮データ３０１３は、ＪＰＥＧ伸張器８００８で伸張処理を行うと、８００９のような非エッジ画像を得ることができる。さらに、前記エッジ画像８００７と非エッジ画像８００９を前記第２画像形成装置にあたるＡＮＤ処理部８０１０でＡＮＤ処理すると、最終的に、８０１１のようなエッジ非エッジが混載した画像を得ることができる。なお、第１および第２画像形成装置としては、記録媒体に可視画像を形成することができる電子写真方式、インクジェット方式などの公知の画像形成エンジンを備えた画像形成装置であって、ＡＮＤ処理を行う回路機能を備えているものであればよい。
【００２８】
＜第３の実施形態＞
この実施形態は、第１の実施形態における第１のエッジデータ比較参照テーブル９（３０１０）と、第２の実施形態における第２のエッジデータ比較参照テーブル１５（８００２）の内容が、あまりにもかけ離れていることがあり得る。例えば、第１の実施形態における画像処理装置が持っている第１のエッジデータ比較参照テーブル３０１０が図４のようなテーブルであったとする。逆に、第２の実施形態の画像形成装置が持っている第２のエッジデータ比較参照テーブルが図７の８００２のようであったとする。第１の実施形態における画像処理装置における“Ｂ”と記載されている２値のエッジ画像を圧縮し、第１のエッジデータ比較参照テーブルを基に、“０ｘ０１”という置換データ（前記第３のコード）に置き換えたとすると、画像形成装置側の持っている第２のエッジデータ比較参照テーブル（８００２）はこの、“０ｘ０１”というコードを持っていないために、“Ｂ”というデータを再現することができなくなってしまう。本実施形態では、このような場合には、前記“０ｘ０１”の情報が記載されている前記第３のエッジデータ比較参照テーブルを持っている画像形成装置を探し、この第３のエッジデータ比較参照テーブルの情報に基づいて画像を形成することによってこの問題を解決している。
【００２９】
図９は本発明の第３の実施形態に係る画像処理装置の構成を示すブロック図である。
【００３０】
同図において、ネットワーク環境に絵文字混載画像の圧縮を行う画像処理装置としてスキャナ９００２が、第１の画像形成装置、第２の画像形成装置としてＰＣにインストールされたソフトウェアのビューワ１（９００４）、ビューワ２（９００７）が接続されている。絵文字混載画像９００９が前記第１の実施形態の画像処理を行うことが可能なスキャナ９００７により、画像入力と画像圧縮処理が行われ、ＬＡＮ９００１を経由して、ビューワ１（９００４）に送られたとき、スキャナ９００２からは、絵文字混載画像９００９の画像を圧縮することにより第１のコード、第２のコード、第３のコードがまとめられたファイルデータ９００３がビューワ１（９００４）に送られる。このビューワ１（９００４）は、スキャナ９００２から入手した圧縮データを第１のコード、第２のコードと伸張していく。そして第３のコードに関しては、ビューワ１（９００４）が持っている第２エッジデータ比較参照テーブル９００５（８００２）の情報をもとに伸張処理を行っている。しかし、スキャナ９００２から送られてきた圧縮データ９００３中の第３のコード中にビューワ１（９００４）の持っている第２エッジデータ比較参照テーブル８００２にはないコードが記載されていた場合、第２エッジデータ比較参照テーブル８００２にはないコード情報を持っている第３エッジデータ比較参照テーブル９００８を所持するＬＡＮ９００１上のビューワ２（９００７）にアクセスし、情報のないコードデータを持ってきて参照し、第３のコードの伸張を継続していく。このように、第１、第２、第３の伸張処理が完了した段階で、画像を合成することにより、９００６のような元の画像の復元を可能としている。
【００３１】
また、圧縮データをＰＤＦファイルとしておけば、画像形成装置として、ＡｃｒｏｂａｔＲｅａｄｅｒ等の汎用ビューワにおいても、ＭＭＲ、ＪＰＥＧ、フォントを使用することが可能なので、これらのビューワを使用することができる。
【００３２】
＜第４の実施形態＞
また、このように、第３のエッジデータ比較参照テーブル９００８を持っている画像形成装置を発見することができた場合は、自らの画像形成装置がもっている第２のエッジデータ比較参照テーブル９００５（８００２）の足りない情報を補うことによって、以降、同じ“０ｘ０１”という置換データの伸張を行うことができるようにする。つまり、画像形成装置が、自動で、第２のエッジ比較参照テーブルのバージョンアップを行うことを可能としている。
【００３３】
すなわち、図９において、ビューワ１（９００４）が第３エッジデータ比較参照テーブル９００８によって自身の第２エッジデータ比較参照テーブル９００５に記載されていなかったコード情報を自身の第２エッジデータ比較参照テーブル９００５に補間し、その補間したデータを使用し、あるいはテーブル化して使用することによって、次に、同じ圧縮データ９００３が入力された場合に、問題なく処理することができる。
【００３４】
その他の各部は前述の第３の実施形態と同等に構成され、同等に機能するので、重複する説明は省略する。
【図面の簡単な説明】
【００３５】
【図１】本発明の第１の実施形態に係る画像処理装置の概略構成を示すブロック図である。
【図２】図１の第１の実施形態に係る画像処理装置の機能を説明するための図で、同図（ａ）はエッジ画像を、同図（ｂ）はコードの内容をそれぞれ示す。
【図３】第１の実施形態における画像処理装置の具体的な構成を示すブロック図である。
【図４】図３におけるエッジ比較参照テーブルの状態を示す図である。
【図５】本発明の第２の実施形態に係る画像処理装置の概略構成を示すブロック図である。
【図６】あるエッジ抽出された画像に対して２値化処理された画像を示す図である。
【図７】図６におけるエッジ比較参照テーブルの状態を示す図である。
【図８】第２の実施形態における画像処理装置の具体的な構成を示すブロック図である。
【図９】本発明の第３の実施形態に係る画像処理装置の構成を示すブロック図である。
【図１０】従来例に係る画像処理装置の概略構成を示すブロック図である。
【符号の説明】
【００３６】
１，２１，３００１，８０１１，９００６，９００９  絵文字混在画像
２  エッジ、非エッジ画像分離手段
３  ２値化処理手段
４  第１の画像データ
５  第１の圧縮手段
６，３０１２  第１のコード
７  第２の圧縮手段
８，３０１３  第２のコード
９，３０１０  第１エッジデータ比較参照テーブル
１０  第３の圧縮手段
１１，３０１１  第３のコード
１２  第２の画像データ
１３  第１復号処理手段
１４  第２復号処理手段
１５，８００２，９００５  第２エッジデータ比較参照テーブル
１６  第３復号処理手段
１７  第３の画像データ
１８  第１画像形成手段
１９  第４の画像データ
２０  第２画像形成手段
３００２  エッジ非エッジ分離装置
３００３  ２値化装置
３００７  エッジデータ置き換え装置
３００８  ＭＭＲ圧縮器
３００９  ＪＰＥＧ圧縮器
８００１  第３の復号処理装置
８００４  ＭＭＲ伸張器
８００８  ＪＰＥＧ伸張器
８００６，８０１０  ＡＮＤ処理部
９００１  ＬＡＮ
９００２  画像処理装置
９００４  第１画像形成装置
９００７  第２画像形成装置
９００８  第３エッジデータ比較参照テーブル
【図１】
2006081115.tif 000003
【図２】
2006081115.tif 000004
【図３】
2006081115.tif 000005
【図４】
2006081115.tif 000006
【図５】
2006081115.tif 000007
【図６】
2006081115.tif 000008
【図７】
2006081115.tif 000009
【図８】
2006081115.tif 000010
【図９】
2006081115.tif 000011
【図１０】
2006081115.tif 000012